(57)【要約】【課題】  浴室と脱衣室との段差が小さく、且つ、浴室から脱衣室への水漏れを確実に防止できる高い水密性を有する浴室出入口の止水構造を提供する。【解決手段】  左右一対の縦枠材１１１，１１３とその上端部間及び下端部間に配設される上枠材１１５及び下枠材１１７とを接合した枠体１１０に、開閉自在にドア１２０を取り付け、縦枠材１１１，１１３に、弾力性を有する先端部が閉止されたドア１２０の正面に当接する縦枠タイト材１５１，１５３を設け、下枠材１１７は、上面に設けた下枠タイト材装着溝１７７ａに、弾力性を有する先端部が閉止されたドアの正面に当接する下枠タイト材１５７を装着し、縦枠材１１３と下枠材１１７とはシーラー１１９を挟んで接合され、下枠タイト材装着溝と縦枠タイト材１５１，１５３の下面との間に止水部材１８０を介在させ、下枠タイト材１５７の側端面と縦枠タイト材１５１，１５３の側面の間に弾性止水材１８５を介在させる。【選択図】  図１１
2015078557.tif 000002
【特許請求の範囲】
【請求項１】
左右一対の縦枠材とこの縦枠材の上端部間及び下端部間に配設される上枠材及び下枠材とを接合した枠体に、開閉自在にドアを取り付け、
前記一対の縦枠材のそれぞれに、弾力性を有する先端部が閉止された前記ドアの正面に当接する縦枠タイト材を設け、
前記下枠材は、上面に設けた下枠タイト材装着溝に、弾力性を有する先端部が閉止された前記ドアの正面に当接する下枠タイト材を装着し、
前記縦枠材と前記下枠材とはシーラーを間に挟んで接合され、
前記下枠タイト材装着溝と前記縦枠タイト材の下面との間に止水部材を介在させ、
前記下枠タイト材の側端面と縦枠タイト材の側面との間に弾性止水材を介在させたことを特徴とする浴室出入口の止水構造。
【請求項２】
前記止水部材は、前記下枠タイト材挿装着溝に水密状に差し込まれる水平片と、前記縦枠タイト材の側面に沿って延びる垂直片とが一体となり、この垂直片に前記弾性止水材を取り付けたことを特徴とする請求項１記載の浴室出入口の止水構造。
【請求項３】
前記弾性止水材は、前記垂直片の表裏面と前記ドア側端部とを連続して覆うように取りつけたことを特徴とする請求項２記載の浴室出入口の止水構造。
【請求項４】
前記縦枠材に前記縦枠タイト材を装着する縦枠タイト材受け部を取り付け、前記止水部材は、前記垂直片の前記ドアから離間した位置で前記縦枠タイト材受け部に固定したことを特徴とする請求項２又は３に記載の浴室出入口の止水構造。
【請求項５】
前記縦枠タイト材受け部を、平面視で前記下枠タイト材装着溝からずれた位置に取り付けたことを特徴とする請求項４に記載の浴室出入口の止水構造。
【発明の詳細な説明】
【技術分野】
【０００１】
本発明は、浴室出入口の止水構造に関するものである。
【背景技術】
【０００２】
強化ガラス製の透明材料を面材とした框のないドアを、ホテルやマンションなどの浴室の出入口に採用することがある（特許文献１参照）。このドアは、框がないため、止水のためのシール材をドアに設けることができず、出入口に設置する建具の枠材にシール材を取付けていた。この場合、出入口の床面には、タイト材と呼ばれるシール材を浴室側に向けて横向きに挿入するために、浴室と脱衣室の境界に浴室側が低くなるような段差が設けられていた。しかし、高齢者や車椅子利用者が浴室に出入りしやすくするために、浴室と脱衣室との段差を小さくすることが求められている。
【０００３】
出入口の段差を小さく抑えるには、出入口を構成する建具の下枠にドアに向けて斜め上向きに伸びるタイト材を設置して、ドアとタイト材を水密状に接触させて止水することが有効であり、例えば、特許文献２に記載された構造を採用することが可能である。特許文献２に記載された浴室建具では、まず、建具の下枠と縦枠とにシール部材（タイト材）を装着して、その先端を閉じたドアの正面に当接させて止水を行う。具体的には、下枠に上向きに形成された下枠シール装着溝に下枠シール部材を装着し、縦枠に取り付けられた縦枠シール取付片に縦枠シール部材を装着し、下枠シール部材の端面を縦枠シール部材の下端部側面に当接させて、下枠シール部材と縦枠シール部材とが連続するようにしている。さらに、下枠と縦枠の間にシーラーを介在させて枠組みし、下枠シール装着溝の縦枠側端部と縦枠シール取付片の下枠側下端部の間の呑込み部分にシールピースを介設している。このような構造によって、浴室と脱衣室の段差を小さく抑え、且つ、水密性を高めている。
【先行技術文献】
【特許文献】
【０００４】
【特許文献１】特開２００６−２２６０６６号公報
【特許文献２】特開２００５−２００９７５号公報
【発明の概要】
【発明が解決しようとする課題】
【０００５】
ところが、下枠シール部材や縦枠シール部材は、いずれも、ＥＰＤＭ（エチレン・プロピレン・ジエンゴム）などの材料により形成されたタイト材であり、ドアに密接する先端は、薄いヒレのように二股に形成して弾力性をもたせ、ドアとの密接性を高めることができる。しかし、このヒレが形成されていない部位は、大きな弾力性が得られないため、特許文献２に記載されているように、下枠シール部材の端面が縦枠シール部材の下端部に当接するだけでは、下枠シール部材と縦枠シール部材との継目でタイト材の弾力を得られず、そのため、下枠シール部材の端面と縦枠シール部材の下端部の側面との継目に十分な水密性を与えることができず、浴室から脱衣室に水が漏れてしまうことになる。
【０００６】
そこで、本発明は、浴室と脱衣室との段差が小さく、且つ、浴室から脱衣室への水漏れを確実に防止できる高い水密性を有する浴室出入口の止水構造を提供することを目的とする。
【課題を解決するための手段】
【０００７】
上記した課題を解決するために、本発明の浴室出入口の止水構造は、左右一対の縦枠材とこの縦枠材の上端部間及び下端部間に配設される上枠材及び下枠材とを接合した枠体に、開閉自在にドアを取り付け、前記一対の縦枠材のそれぞれに、弾力性を有する先端部が閉止された前記ドアの正面に当接する縦枠タイト材を設け、前記下枠材は、上面に設けた下枠タイト材装着溝に、弾力性を有する先端部が閉止された前記ドアの正面に当接する下枠タイト材を装着し、前記縦枠材と前記下枠材とはシーラーを間に挟んで接合され、前記下枠タイト材装着溝と前記縦枠タイト材の下面との間に止水部材を介在させ、前記下枠タイト材の側端面と縦枠タイト材の側面との間にも弾性止水材を介在させた。
【０００８】
この浴室出入口の止水構造によれば、縦枠材と下枠材および上枠材との接合部分はシーラーによって水密とされ、また、枠体と閉じた状態のドアとの間は縦枠タイト材、上枠タイト材および下枠タイト材によって水密にされ、下枠タイト材と縦枠タイト材との継目は止水部材および弾性止水材によって水密にされるので、浴室内から脱衣室への水漏れをより確実に防止できる止水構造を得ることができる。
【０００９】
また、本発明では、前記止水部材は、前記下枠タイト材挿装着溝に水密状に差し込まれる水平片と、前記縦枠タイト材の側面に沿って延びる垂直片とが一体となり、この垂直片に前記弾性止水材を取り付けることも好ましい。
【００１０】
これにより、弾性止水材を止水部材に一体化したので、組み立ての手間を削減することが可能となる。
【００１１】
また、本発明では、前記弾性止水材は、前記垂直片の表裏面及び前記ドア側端部を連続して覆うように取りつけることも好ましい。
【００１２】
これにより、水が浸入しやすいドアの下部における縦枠タイト材による止水性を弾性止水材で補足することができ、さらに水密性を高めることが可能となる。
【００１３】
また、本発明では、前記縦枠材に前記縦枠タイト材を装着する縦枠タイト材受け部を取り付け、前記止水部材の垂直片の前記ドアから離間した位置で前記縦枠タイト材受け部に固定することも好ましい。
【００１４】
これにより、止水部材の取り付け作業が簡素化でき、組み立ての手間をさらに削減することが可能となる。
【００１５】
また、本発明では、前記縦枠タイト材受け部を、平面視で前記下枠タイト材装着溝からずれた位置に取り付けることも好ましい。
【００１６】
これによれば、下枠タイト材装着溝の端部の上方は軟質な縦枠タイト材で覆っているだけなので、止水部材を容易に取り外すことができ、止水部材の交換を容易に行うことが可能となる。
【発明の効果】
【００１７】
本発明によれば、浴室と脱衣室との段差が小さく、且つ、浴室から脱衣室への水漏れを確実に防止できる高い水密性を有する浴室出入口の止水構造を提供することが可能となる。
【図面の簡単な説明】
【００１８】
【図１】本発明の実施の形態にかかる浴室用ドア構造を浴室側から表す模式的斜視図である。
【図２】本発明の実施の形態にかかる浴室用ドア構造を脱衣室側から表す模式的平面図である。
【図３】図２のＡ−Ａ断面図である。
【図４】図２のＢ−Ｂ断面図である。
【図５】図３に表した領域Ｐを拡大した模式的断面図である。
【図６】図３に表した領域Ｑを拡大した模式的断面図である。
【図７】左縦枠材と左枠タイト材の関係を示す模式的斜視図である。
【図８】図４に表した領域Ｒを拡大した模式的断面図である。
【図９】本実施形態の止水部材に弾性止水材を巻き付けた状態を示す模式的斜視図である。
【図１０】図２に表したＣ−Ｃ断面図である。
【図１１】本実施形態の浴室出入口のコーナー部の止水構造を示す模式的分解斜視図である。
【図１２】本実施形態の浴室出入口のコーナー部を脱衣室側から見た模式的斜視図である。
【図１３】本実施形態の浴室出入口のコーナー部を浴室側から見た模式的斜視図である。
【発明を実施するための形態】
【００１９】
以下、本発明の実施の形態を図に基づいて説明する。なお、各図面中、同様の構成要素には同一の符号を付して詳細な説明は適宜省略する。
図１は、本発明の実施の形態にかかる浴室用ドア構造を浴室側から表す模式的斜視図である。
図２は、本発明の実施の形態にかかる浴室用ドア構造を脱衣室側から表す模式的平面図である。
図３は、図２のＡ−Ａ断面図である。
図４は、図２のＢ−Ｂ断面図である。
【００２０】
本実施形態にかかる浴室出入口の止水構造は、浴室と脱衣室との間に設けられる。浴室用出入口１００は、枠体１１０と、ドア本体１２０と、ヒンジ１３０と、換気部１４０と、タイト材１５１、１５３、１５５、１５７と、保持具１６０と、止水部材１８０と、を備える。
【００２１】
枠体１１０は、浴室出入口１００の周囲に設けられる。具体的には、枠体１１０は、出入口１００の左右端部に設けられる左右一対の縦枠材１１１，１１３と、出入口１００の上端部に設けられて左右一対の縦枠材１１１，１１３の上端部間に配設される上枠材１１５と、出入口１００の下端部に設けられて左右一対の縦枠材１１１，１１３の下端部間に配設される下枠材１１７と、が接合されてなる。この縦枠材１１１、１１３と下枠材１１７とは、シーラー１１９（図１１参照）を介して接合されている。なお、以下、左右一対の縦枠材１１１，１１３は、脱衣室側から見て出入口１００の右端部に設けられる方を右縦枠材１１１、出入口１００の左端部に設けられる方を左縦枠材１１３として説明を進める。
【００２２】
ドア本体１２０は、ヒンジ１３０を介して枠体１１０に開閉可能に取り付けられている。ドア本体１２０は、強化ガラス、ポリカーボネートおよびアクリル樹脂のうちのいずれかにより形成された面材を有し、透明性あるいは半透明性を呈する。なおドア本体１２０は、框を有しておらず、ドア本体１２０の端部には、強化ガラス、ポリカーボネートおよびアクリル樹脂のうちのいずれかにより形成された面材が露出する。
本願明細書において、「強化ガラス」とは、ガラスの表面に圧縮応力層がつくられ、外力の作用及び温度変化に対する強さが圧縮応力層を有していないガラスと比較して増加したガラスをいうものとする。  
また、本願明細書において、「透明性あるいは半透明性」とは、透過率が１００パーセント（％）の性質に限定されず、少なくとも可視光の波長を有する光に対して透過率がゼロではない性質をいうものとする。
【００２３】
換気部１４０は、枠体１１０に設けられている。具体的には、図２に表したように、換気部１４０は、上枠材１１５の中で、右縦枠材１１１と左縦枠材１１３とに取り付けられている。換気部１４０は、脱衣室から浴室へ空気の流れを許容する一方で、浴室から脱衣室への空気の流れを抑止する。具体的には、図４に表したように、換気部１４０は、換気部本体１４１と、ダンパ部１４３と、を有する。ダンパ部１４３は、軸部１４５において換気部本体１４１に対して回転可能に軸支されている。図４に表した矢印のように、ダンパ部１４３は、軸部１４５を略中心として回転し、通気路１４２を開閉することができる。
【００２４】
浴室の気圧と脱衣室の気圧が略同じであるときには、ダンパ部１４３は自重により下がっており、通気路１４２を閉じている。また、ミストサウナが浴室内で使用され、お湯が霧状に放出されると、ダンパ部１４３の先端部が通気路１４２の壁と当接する。そのため、ダンパ部１４３は、通気路１４２を開けることはない。これにより、換気部１４０は、浴室から脱衣室への空気の流れを抑止する。
【００２５】
一方、例えば浴室内の換気扇などが駆動し、浴室の気圧が負圧になると、浴室の気圧と脱衣室の気圧と間の気圧差により、ダンパ部１４３は回転し通気路１４２を開ける。これにより、換気部１４０は、脱衣室から浴室への空気の流れを許容する。
【００２６】
図２〜４に表したように、枠体１１０の内側（ドア本体１２０の側）の面には、タイト材受け部が設けられている。具体的には、図２および図３に表したように、タイト材受け部は、右縦枠材１１１の内側に設けられた右枠タイト材受け部１７１と、左縦枠材１１３の内側に設けられた左枠タイト材受け部１７３と、上枠材１１５の内側に設けられた上枠タイト材受け部１７５と、下枠材１１７の上面に形成された凹部１１７ａに設けられる下枠タイト材受け部１７７とを有する。右枠タイト材受け部１７１は、閉じた状態のドア本体１２０の右端部の脱衣室側へオーバーラップしている。左枠タイト材受け部１７３は、閉じた状態のドア本体１２０の左端部の脱衣室側へオーバーラップしている。上枠タイト材受け部１７５は、閉じた状態のドア本体１２０の上端部の脱衣室側へオーバーラップしている。
【００２７】
各タイト材受け部１７１、１７３、１７５、１７７は、タイト材１５１、１５３、１５５、１５７を保持する。言い換えれば、タイト材１５１、１５３、１５５、１５７は、タイト材受け部１７１、１７３、１７５、１７７を介して枠体１１０にそれぞれ保持されている。タイト材１５１、１５３、１５５、１５７は、例えばゴムなどにより形成され、弾力性を有する。タイト材１５１、１５３、１５５、１５７は、ドア本体１２０が閉じた状態においてタイト材の先端部の弾力性のあるヒレがドア本体１２０の正面に密接してドア本体１２０と枠体１１０との間の気密を保持する。なお、タイト材の保持構造については、後に詳述する。
【００２８】
図２に表したように、保持具１６０は、枠体１１０（本実施形態では右縦枠材１１１）に設けられている。保持具１６０は、タイト材１５１、１５３、１５５、１５７がドア本体１２０と枠体１１０との間の気密を保持した状態でドア本体１２０の閉じた姿勢を維持する。
【００２９】
図１に表したように、ドア本体１２０には、把持部１９１が設けられている。
【００３０】
本実施形態によれば、ドア本体１２０が閉じると、タイト材は、ドア本体１２０と枠体１１０との間の気密を保持する。また、脱衣室から浴室への空気の流れを許容する換気部１４０は、浴室から脱衣室への空気の流れを抑止する。そのため、ドア本体１２０が閉じると、空気が浴室から脱衣室へ漏れ出ず、浴室内の気密性が保持される。また、気密性と同時に水密性も保持される。
【００３１】
保持具１６０は、ドア本体１２０の閉動作により、タイト材がドア本体１２０と枠体１１０との間の気密を保持した状態でドア本体１２０の姿勢を維持するため、ドア本体１２０が閉じるだけで浴室内の気密状態を作り出すことができる。また、保持具１６０は、ドア本体１２０ではなく枠体１１０に設けられているため、ヒンジ１３０および把持部１９１以外の付属物をドア本体１２０に設ける必要はない。そのため、強化ガラス、ポリカーボネートおよびアクリル樹脂のうちのいずれかにより形成された面材の端面をドア本体１２０の端面とすることできる。そのため、ドア本体１２０の全体が透明性あるいは半透明性を呈する高級感のある浴室用ドア構造を提供することができる。そして、全体が透明性あるいは半透明性を呈するドア本体１２０を用いつつ、ドア本体１２０を閉じることで空気が浴室から脱衣室へ漏れ出ることを抑制することができる。そのため、浴室内でミストサウナを使用することができる。
【００３２】
次に、タイト材およびタイト材受け部の保持構造について、図面を参照しつつ説明する。
図５は、図３に表した領域Ｐを拡大した模式的断面図である。
図６は、図３に表した領域Ｑを拡大した模式的断面図である。
図７は、左縦枠材と左枠タイト材受け部の関係を示す模式的斜視図である。図７では、ドア本体を省略している。
【００３３】
枠体１１０は、ステンレス鋼材を折り曲げたアングル材およびステンレス鋼材を折り曲げたチャンネル材の少なくともいずれかを含む材料により形成されている。
【００３４】
右縦枠材１１１の面であってドア本体１２０の側の面には、パッキンを介して右枠タイト材受け部１７１が付設されている。右枠タイト材受け部１７１は、閉じた状態のドア本体１２０の右端部（先端部）の脱衣室側へオーバーラップしている。
【００３５】
右枠タイト材受け部１７１は、溝部１７１ａと、ネジ孔（図示せず）と、を有する中空のアルミ押出し品である。溝部１７１ａは、右枠タイト材受け部１７１の、閉じた状態のドア本体１２０の側に設けられている。ネジ孔は、右枠タイト材受け部１７１の右縦枠材１１１の側に設けられている。また、右枠タイト材受け部１７１の左縦枠材１１３の側には、ネジ止め作業用の貫通孔１７１ｃが形成されている。右枠タイト材受け部１７１は、ネジが右枠タイト材受け部１７１のネジ孔を通って右縦枠材１１１に螺合することで固定されている。右枠タイト材受け部１７１の左縦枠材１１３の側の面および脱衣室側の面は、ステンレス鋼材製の上面視Ｌ字状のカバー１７２で覆われている。
【００３６】
右枠タイト材１５１は、取付部１５１ａを有する。取付部１５１ａは、右枠タイト材受け部１７１の溝部１７１ａと係合可能である。右枠タイト材１５１の取付部１５１ａが右枠タイト材受け部１７１の溝部１７１ａと係合することで、右枠タイト材１５１は、右枠タイト材受け部１７１に保持されている。
【００３７】
図６に表したように、左縦枠材１１３は、ステンレス鋼材のチャンネル材により形成されている。左縦枠材１１３の面であってドア本体１２０の側の面には、左枠タイト材受け部１７３が付設されている。図３に表したように、左枠タイト材受け部１７３は、閉じた状態のドア本体１２０の左端部の脱衣室側へオーバーラップしている。
【００３８】
左枠タイト材受け部１７３は、溝部１７３ａと、ネジ孔１７３ｂと、を有する中空のアルミ押出し品である。溝部１７３ａは、左枠タイト材受け部１７３の、閉じた状態のドア本体１２０の側に設けられている。左枠タイト材受け部１７３のネジ孔１７３ｂ（図７参照）は、左縦枠材１１３の側に設けられている。また、左枠タイト材受け部１７３の右縦枠材１１１の側には、ネジ止め作業用の貫通孔１７３ｃが形成されている。左枠タイト材受け部１７３は、ネジが左枠タイト材受け部１７３のネジ孔１７３ｂを通って左縦枠材１１３に螺合することで固定されている。左枠タイト材受け部１７３の右縦枠材１１１の側の面および脱衣室側の面は、ステンレス鋼材製の上面視Ｌ字状のカバー１７４で覆われている。  
左枠タイト材１５３は、取付部１５３ａが左枠タイト材受け部１７３の溝部１７３ａと係合することで、左枠タイト材受け部１７３に保持されている。
【００３９】
図５、図６および図７に関して前述したタイト材１５１、１５３の保持構造によれば、枠体１１０およびカバー１７２，１７４がステンレス鋼材により形成されているため、透明性あるいは半透明性を呈するドア本体１２０と相まって、高級感のある浴室用ドア構造を提供することができる。  
【００４０】
また、右枠タイト材受け部１７１、左枠タイト材受け部１７３は、予め形成されたネジ孔を利用して枠体１１０にネジ止めされる。そのため、枠体１１０に対してタイト材１５１、１５３を比較的精度よく簡単に取り付けることができる。これにより、タイト材１５１、１５３は、閉じた状態のドア本体１２０によってより確実に弾性変形し、より確実に浴室内の気密性および水密性を維持することができる。
【００４１】
図８は、図４に表した領域Ｒを拡大した模式的断面図である。
下枠材１１７は上面に、下枠材１１７の長手方向に沿って凹んだ凹部１１７ａを形成しており、この凹部１１７ａに下枠タイト材受け部１７７が挿入されている。この下枠タイト材受け部１７７にも右縦枠材１１１および左縦枠材１１３同様に、下枠タイト材１５７の取付部１５７ａを下枠タイト材受け部１７７に係合させるための溝（下枠タイト材装着溝１７７ａ）を有しており、これにより下枠タイト材１５７を保持している。
【００４２】
図８に表したように、ドア本体１２０の下端部には、水返しなどの止水部品は取り付けられていないが、下枠タイト材受け部１７７の上面から突出した下枠タイト材１５７が設けられている。この下枠タイト材１５７とドア本体１２０の正面側とが当接することで浴室から脱衣室へ水が流れることを抑えることができる。
【００４３】
ただし、この止水構造だけでは、浴室出入口の下側コーナー部における浴室から脱衣室への水漏れを完全に防ぐことはできない。本実施形態では、以下に説明する構造によって、浴室出入口の下側コーナー部の水漏れを確実に防止することができる。
【００４４】
次に、コーナー部の止水構造について、図面を参照しつつ説明する。  
図９は、本実施形態の止水部材に弾性止水材を巻き付けた状態を示す模式的斜視図である。  
図１０は、図２に表したＣ−Ｃ断面図である。
図１１は、本実施形態の浴室出入口のコーナー部の止水構造を示す模式的分解斜視図である。
図１２は、本実施形態の浴室出入口のコーナー部を脱衣室の側から見た模式的斜視図である。
図１３は、本実施形態の浴室出入口のコーナー部を浴室の側から見た模式的斜視図である。
【００４５】
下枠材１１７と右縦枠材１１１あるいは下枠材１１７と左縦枠材１１３とが接続された、浴室出入口の下側コーナー部においては、右縦枠材１１１および左縦枠材１１３の下端部に止水部材１８０が設置されている。
【００４６】
図９に示すように、止水部材１８０は、左枠タイト材１５３の側面に沿って延びる垂直片１８１と、下枠タイト材装着溝１７７ａに水密状に差し込まれる水平片１８３と、を有する。この垂直片１８１と水平片１８３はともに板状であり、垂直片１８１の下端部から直角方向に折り曲げて水平片１８３を形成して一体化されている。
この止水部材１８０には、荷重がかかると圧縮変形する弾性止水材１８５が巻き付けられている。詳しくは、弾性止水材１８５は、止水部材１８０の垂直片１８１の表裏面１８１ａ、１８１ｂおよびドア側側面１８１ｃに巻き付けられている。さらに、止水部材１８０の水平片１８３の底面１８３ｄにも弾性止水材１８６が貼り付けられている。この水平片１８３の底面に貼り付けた弾性止水材１８６は、本実施形態では、垂直片１８１の表裏面１８１ａ、１８１ｂに巻き付けた弾性止水材１８５と一体化されている。また、この止水部材１８０のドア本体１２０とは反対側の側面には、カバー材１８８が取り付けられている。このカバー材１８８は、上面視がＬ字状であり、弾性止水材１８５の端部が隠れるように弾性止水材１８５が巻き付けられた止水部材１８０の垂直片１８１の表面を覆っており、弾性止水材１８５の剥がれを抑制している。
なお、弾性止水材１８５、１８６としてパッキンを用いるのが好ましい。
【００４７】
一方、右縦枠材１１１および左縦枠材１１３には、カバー材１８８と、弾性止水材１８５と、止水部材１８０が、右枠タイト材受け部１７１あるいは左枠タイト材受け部１７３を介してネジで締結されている。この際、止水部材１８０は、弾性止水材１８５の止水性を損なわないように、垂直片１８１のうち、ドア本体１２０から離間した側で左枠タイト材受け部１７３を介して左縦枠材１１３にネジ止めすることによって固定されている。弾性止水材１８５は、止水部材１８０と右枠タイト材１５１および右枠タイト材受け部１７１との隙間、止水部材１８０と左枠タイト材１５３および左枠タイト材受け部１７３との隙間、右枠タイト材１５１および左枠タイト材１５３と下枠タイト材１５７との隙間、をそれぞれ止水する役割を有する。
【００４８】
止水部材１８０の水平片１８３は、図１１に表すように、下枠材１１７に埋め込まれている下枠タイト材受け部１７７の下枠タイト材装着溝１７７ａの端部の切込み部１７７ｂに、挿入されている。この切込み部１７７ｂの脱衣室側の側面には、第二の弾性止水材１８７が取り付けてある。この第二の弾性止水材１８７を押し潰すように、下枠タイト材装着溝１７７ａに止水部材１８０が挿入される。止水部材１８０の底面にも弾性止水材１８６が貼り付けられているため、切込み部１７７ｂの上面と止水部材１８０の水平片１８３の底面とは止水されている状態となる。
【００４９】
また、弾性止水材１８５の表面１８５ａと、下枠タイト材１５７の端面とが当接し、弾性止水材１８５の裏面（縦枠側の面）１８５ｂと、縦枠タイト材１５１、１５３の側面とが当接する。言い換えれば、下枠タイト材１５７の側面と縦枠タイト材１５１、１５３の側面との間に、表裏面に弾性止水材１８５が設けられた止水部材１８０を介在させている。この弾性止水材１８５の弾力性によって、タイト材の弾力による水密性を得ることができない、下枠タイト材１５７と縦枠タイト材１５１、１５３の間の微小な隙間からの水漏れを防止することができる。
【００５０】
さらに、この止水部材１８０は、弾性止水材１８５をドア本体１２０側の側面にも巻いているため、図３および図４に表すように、ドア本体１２０と、縦枠タイト材１５１、１５３との間に弾性止水材１８５を介在させることで二重の止水ラインを形成することになる。
【００５１】
このように、浴室出入口１００の下側コーナー部においても、浴室から脱衣室への水漏れを確実に防止することが可能となる。
【００５２】
なお、下枠タイト材装着溝１７７ａは、右枠タイト材受け部１７１および左枠タイト材受け部１７３とは重合しないように、右枠タイト材１５１および左枠タイト材１５３の下方となるように、ずらして設けられている。そのため、止水部材１８０の水平片１８３の上方は、硬質な部材で形成されている右枠タイト材受け部１７１および左枠タイト材受け部１７３では覆われておらず、軟質な右枠タイト材１５１および左枠タイト材１５３で覆われているだけとなる。これにより、下枠タイト材装着溝１７７ａから止水部材１８０を容易に抜くことができる。
【００５３】
以上説明した実施形態の浴室出入口の止水構造によれば、右縦枠材１１１、左縦枠材１１３、上枠材１１５および下枠材１１７との接合部分はシーラー１１９によって水密とされ、また、枠体１１０と閉じた状態のドア本体１２０との間は右枠タイト材１５１、左枠タイト材１５３、上枠タイト材１５５および下枠タイト材１５７によって水密にされ、下枠タイト材１５７と右枠タイト材１５１、左枠タイト材１５３との継目は止水部材１８０および弾性止水材１８５によって水密にされる。したがって、従来よりも、浴室内から浴室外への水漏れをより確実に防止できる止水構造を得ることができる。
【００５４】
また、下枠タイト材１５７は、下枠材１１７の上面の凹部１１７ａに埋設させた下枠タイト材受け部１７７に保持されるので、下枠材１１７の上面には大きな段差が形成されることがなく、浴室と脱衣室との段差を小さく抑えることが可能となる。
【００５５】
また、止水部材１８０は、下枠タイト材挿装着溝１７７ａに水密状に差し込まれる水平片１８３と、水平片１８３の端部から垂直に立ち上がる垂直片１８１とが一体となり、この垂直片１８１に弾性止水材１８５を取り付けて、弾性止水材１８５を止水部材１８０に一体化したので、組み立ての手間を削減することが可能となる。
【００５６】
さらに、垂直片１８１の表裏面及びドア本体側端部を連続して覆うように弾性止水材１８５を取りつけることにより、水が浸入しやすいドア本体１２０の下部における右枠タイト材１５１、左枠タイト材１５３による止水性を弾性止水材１８５で補うことができ、さらに水密性を高めることが可能となる。
【００５７】
さらに、また、止水部材１８０は、垂直片１８１のドア本体１２０から離間した位置で右枠タイト材受け部１７１、左枠タイト材受け部１７３を介して右縦枠材１１１、左縦枠材１１３にねじ込まれて固定されることにより、弾性止水材１８５による水密性を損ねることなく止水部材１８０の取り付け作業が簡素化でき、組み立ての手間をさらに削減することが可能となる。
【００５８】
また、右枠タイト材受け部１７１、左枠タイト材受け部１７３を、平面視で下枠タイト材装着溝１７１ａからずれた位置に取り付けている。これにより、下枠タイト材装着溝１７１ａの左右端部の上方は、軟質な右枠タイト材１５１および左枠タイト材１５３で覆われているだけなので、止水部材１８０を容易に取り外すことができ、止水部材１８０の交換を容易に行うことが可能となる。
【００５９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室用ドア構造などが備える各要素の形状、寸法、材質、配置などや保持具、換気部およびタイト材の設置形態などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００６０】
１００：浴室用出入口
１１０：枠体
１１１：右縦枠材（縦枠材）
１１３：左縦枠材（縦枠材）
１１５：上枠材
１１７：下枠材
１１７ａ：凹部
１１９：シーラー
１２０：ドア本体
１３０：ヒンジ
１４０：換気部
１４１：換気部本体
１４２：通気路
１４３：ダンパ部
１４５：軸部
１５１：右枠タイト材（縦枠タイト材）
１５１ａ：取付部
１５３：左枠タイト材（縦枠タイト材）
１５３ａ：取付部
１５５：上枠タイト材
１５７：下枠タイト材
１５７ａ：取付部
１６０：保持具
１７１：右枠タイト材受け部（縦枠タイト材受け部）
１７１ａ：溝部
１７１ｃ：貫通孔
１７２：カバー
１７３：左枠タイト材受け部（縦枠タイト材受け部）
１７３ａ：溝部
１７３ｂ：ネジ孔
１７３ｃ：貫通孔
１７４：カバー
１７５：上枠タイト材受け部
１７７：下枠タイト材受け部
１７７ａ：下枠タイト材装着溝
１７７ｂ：切込み部
１８０：止水部材
１８１：垂直片
１８１ａ：表面
１８１ｂ：裏面
１８１ｃ：ドア側側面
１８３：水平片
１８３ｄ：底面
１８５、１８６：弾性止水材
１８７：第二の弾性止水材
１８８：カバー材
１９１：把持部
【図１】
2015078557.tif 000003
【図２】
2015078557.tif 000004
【図３】
2015078557.tif 000005
【図４】
2015078557.tif 000006
【図５】
2015078557.tif 000007
【図６】
2015078557.tif 000008
【図７】
2015078557.tif 000009
【図８】
2015078557.tif 000010
【図９】
2015078557.tif 000011
【図１０】
2015078557.tif 000012
【図１１】
2015078557.tif 000013
【図１２】
2015078557.tif 000014
【図１３】
2015078557.tif 000015